【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
それぞれが対応するコンテンツ及び当該コンテンツの復号に必要な暗号鍵を有する複数のチャンネルを含む放送信号を受信する受信手段と、前記複数のチャンネルのうちの少なくとも１つを列挙するチャンネル画面を生成して出力する出力手段と、前記複数のチャンネルから１つのチャンネルを選択する選択手段と、を備える放送受信装置であって、
前記選択手段が選択中のチャンネルに対応する暗号鍵が利用可能か否かを判定する判定手段と、
前記判定手段により否と判定された場合に、前記チャンネル画面において列挙されるチャンネルそれぞれを前記選択手段に順次選択させて前記判定手段に前記判定を実行させ、否と判定されたチャンネルを識別可能な形態の前記チャンネル画面を前記出力手段に生成させて出力させる制御手段と、
を備えることを特徴とする放送受信装置。
【請求項２】
さらに、前記制御手段の制御に従って前記判定手段により否と判定されたチャンネルそれぞれを前記選択手段に順次選択させて対応する暗号鍵を取得する取得手段であって、前記チャンネル画面において選択されているチャンネルについて前記取得を最初に行う取得手段を備えることを特徴とする請求項１に記載の放送受信装置。
【請求項３】
前記制御手段は、前記チャンネル画面において列挙されるチャンネルそれぞれについて前記判定が完了した後、残りのチャンネルそれぞれを前記選択手段に順次選択させて前記判定手段に前記判定を実行させ、
前記取得手段は、前記チャンネル画面において列挙されるチャンネルそれぞれについて前記取得が完了した後、前記残りのチャンネルのうち前記制御手段の制御に従って前記判定手段により否と判定されたチャンネルそれぞれについて対応する暗号鍵を取得する
ことを特徴とする請求項２に記載の放送受信装置。
【請求項４】
前記取得手段は、前記チャンネル画面に列挙されるチャンネルのうち、対応する暗号鍵を取得できなかったチャンネル、及び取得した暗号鍵が無効であったチャンネルを識別可能なように前記出力手段に前記チャンネル画面を更新させることを特徴とする請求項２又は３に記載の放送受信装置。
【請求項５】
ユーザの指示に従って前記選択手段がチャンネルを選択したタイミング、又は前記放送受信装置の電源が投入されたタイミングで前記判定手段が前記判定を行うことを特徴とする請求項１乃至４のいずれか１項に記載の放送受信装置。
【請求項６】
前記チャンネル画面はＥＰＧ画面を含むことを特徴とする請求項１乃至５のいずれか１項に記載の放送受信装置。
【請求項７】
前記出力手段は、前記選択手段が選択中のチャンネルに対応する暗号鍵が利用可能な場合のみ、当該チャンネルに対応するコンテンツを表示するサブ画面を前記チャンネル画面と共に出力することを特徴とする請求項１乃至６のいずれか１項に記載の放送受信装置。 
【請求項８】
前記複数のチャンネルに対応する複数のワンセグチャンネルを含むワンセグ放送信号を受信するワンセグ受信手段を更に備え、
前記出力手段は、前記選択手段が選択中のチャンネルに対応する暗号鍵が利用可能でない場合、当該チャンネルに対応するワンセグチャンネルに対応するコンテンツを前記ワンセグ放送信号から取得し、当該コンテンツを表示するサブ画面を前記チャンネル画面と共に出力することを特徴とする請求項１乃至７のいずれか１項に記載の放送受信装置。
【請求項９】
前記放送受信装置はデバイス鍵を有し、
前記複数のチャンネルそれぞれは対応するＥＭＭ及びＥＣＭを含み、
それぞれのＥＭＭは対応するワーク鍵を前記暗号鍵として含み、且つ前記デバイス鍵で暗号化されており、
それぞれのＥＣＭは対応するスクランブル鍵を含み、且つ対応する前記ワーク鍵で暗号化されており、
前記複数のチャンネルそれぞれに対応するコンテンツは対応する前記スクランブル鍵で暗号化されている
ことを特徴とする請求項１乃至８のいずれか１項に記載の放送受信装置。
【請求項１０】
それぞれが対応するコンテンツ及び当該コンテンツの復号に必要な暗号鍵を有する複数のチャンネルを含む放送信号を受信する受信手段と、前記複数のチャンネルのうちの少なくとも１つを列挙するチャンネル画面を生成して出力する出力手段と、前記複数のチャンネルから１つのチャンネルを選択する選択手段と、を備える放送受信装置の制御方法であって、
前記放送受信装置の判定手段が、前記選択手段が選択中のチャンネルに対応する暗号鍵が利用可能か否かを判定する判定工程と、
前記放送受信装置の制御手段が、前記判定工程において否と判定された場合に、前記チャンネル画面において列挙されるチャンネルそれぞれを前記選択手段に順次選択させて前記判定工程での前記判定を実行させ、否と判定されたチャンネルを識別可能な形態の前記チャンネル画面を前記出力手段に生成させて出力させる制御工程と、
を備えることを特徴とする制御方法。
【手続補正２】
【補正対象書類名】明細書
【補正対象項目名】００１２
【補正方法】変更
【補正の内容】
【００１２】
しかしながら、特許文献１は、複数のチャンネルそれぞれについて対応する暗号鍵が利用可能か否かをユーザが容易に認識できるように示すことを開示していない。このため、ユーザは選択可能な複数のチャンネルのうちどのチャンネルが視聴可能かを容易に認識することができないという課題があった。
【手続補正３】
【補正対象書類名】明細書
【補正対象項目名】００１３
【補正方法】変更
【補正の内容】
【００１３】
本発明はこのような状況に鑑みてなされたものであり、放送受信装置において複数のチャンネルそれぞれについて対応する暗号鍵が利用可能か否かをユーザが容易に認識できるように示すための技術を提供することを目的とする。
【手続補正４】
【補正対象書類名】明細書
【補正対象項目名】００１４
【補正方法】変更
【補正の内容】
【００１４】
上記課題を解決するために、第１の本発明は、それぞれが対応するコンテンツ及び当該コンテンツの復号に必要な暗号鍵を有する複数のチャンネルを含む放送信号を受信する受信手段と、前記複数のチャンネルのうちの少なくとも１つを列挙するチャンネル画面を生成して出力する出力手段と、前記複数のチャンネルから１つのチャンネルを選択する選択手段と、を備える放送受信装置であって、前記選択手段が選択中のチャンネルに対応する暗号鍵が利用可能か否かを判定する判定手段と、前記判定手段により否と判定された場合に、前記チャンネル画面において列挙されるチャンネルそれぞれを前記選択手段に順次選択させて前記判定手段に前記判定を実行させ、否と判定されたチャンネルを識別可能な形態の前記チャンネル画面を前記出力手段に生成させて出力させる制御手段と、を備えることを特徴とする放送受信装置を提供する。
【手続補正５】
【補正対象書類名】明細書
【補正対象項目名】００１５
【補正方法】変更
【補正の内容】
【００１５】
また、第２の本発明は、それぞれが対応するコンテンツ及び当該コンテンツの復号に必要な暗号鍵を有する複数のチャンネルを含む放送信号を受信する受信手段と、前記複数のチャンネルのうちの少なくとも１つを列挙するチャンネル画面を生成して出力する出力手段と、前記複数のチャンネルから１つのチャンネルを選択する選択手段と、を備える放送受信装置の制御方法であって、前記放送受信装置の判定手段が、前記選択手段が選択中のチャンネルに対応する暗号鍵が利用可能か否かを判定する判定工程と、前記放送受信装置の制御手段が、前記判定工程において否と判定された場合に、前記チャンネル画面において列挙されるチャンネルそれぞれを前記選択手段に順次選択させて前記判定工程での前記判定を実行させ、否と判定されたチャンネルを識別可能な形態の前記チャンネル画面を前記出力手段に生成させて出力させる制御工程と、を備えることを特徴とする制御方法を提供する。
【手続補正６】
【補正対象書類名】明細書
【補正対象項目名】００１７
【補正方法】変更
【補正の内容】
【００１７】
以上の構成により、本発明によれば、放送受信装置において複数のチャンネルそれぞれについて対応する暗号鍵が利用可能か否かをユーザが容易に認識できるように示すことが可能となる。このため、ユーザは選択可能な複数のチャンネルのうちどのチャンネルが視聴可能かを容易に認識することが可能となる。
【手続補正７】
【補正対象書類名】明細書
【補正対象項目名】００７１
【補正方法】変更
【補正の内容】
【００７１】
以上説明したように、本実施例によれば、放送受信装置１０１は、ＥＰＧに表示するチャンネルのうちワーク鍵未設定エラーが発生しているチャンネルをユーザが識別可能な形態のＥＰＧを表示する。また、放送受信装置１０１は、ワーク鍵未設定エラーが発生しているチャンネルのうち、ＥＰＧで選択されているチャンネルのワーク鍵を最初に更新する。次いで、ＥＰＧで選択されていないが表示されているチャンネルのワーク鍵を更新し、完了した後、その他のチャンネルのワーク鍵を更新する。
【手続補正８】
【補正対象書類名】明細書
【補正対象項目名】００７２
【補正方法】変更
【補正の内容】
【００７２】
これにより、ユーザは、複数のチャンネルそれぞれについて対応する暗号鍵が利用可能か否かを容易に認識することができる。また、放送受信装置１０１においてユーザが視聴しようとする番組が視聴不可能な状態になる期間が短縮される。